(57)【特許請求の範囲】
【請求項１】
便器本体を洗浄する洗浄水を貯える洗浄水タンクの排水弁装置であって、
上記洗浄水タンクに形成された排水口に取り付けられる排水口部及びこの排水口部を開閉する弁体を備えた本体部と、
この本体部に取り付けられる筒体と、を有し、
この筒体は、上記本体部の排水口部に取り付けられる下側開口部と、この下側開口部から外周側に突出して上記筒体の底面を形成する底面部と、この底面部から上方に伸びて上記本体部を取り囲む側壁部と、この側壁部の上端と連続する上側開口部と、を備え、
上記筒体の上側開口部には、その下端から上端に向かって上記本体部から離間するように湾曲面が形成されており、
上記本体部は、更に、上記筒体の内側で且つ上記本体部の外側の第１の領域と上記排水口部内の第２の領域とを連通させる連通口を形成する連通口部を備え、
上記筒体は、上記連通口部よりも上方における上記第１の領域の流路断面積が下方に向かって減少するように形成されており、
上記筒体の底面部は、上記筒体内の下方領域の流路断面積が下方に向かって減少するように上記側壁部の下端から上記下側開口部の上端に向かって湾曲状に形成されていることを特徴とする排水弁装置。
【請求項２】
上記第１の領域から上記連通口を経て上記第２の領域から上記洗浄水タンクの排水口に至る流路は、下流側に位置する程、その流路面積が小さくなるように形成されている請求項１記載の排水弁装置。
【請求項３】
上記筒体は、上記本体部が上記洗浄水タンクに対して予め固定された後、上記本体部に対して上方から取り付け可能である請求項１又は２に記載の排水弁装置。
【請求項４】
請求項１乃至３の何れか１項に記載の排水弁装置を備えていることを特徴とする洗浄水タンク装置。
【請求項５】
請求項４記載の洗浄水タンク装置を備えていることを特徴とする水洗大便器。
【発明の詳細な説明】
【技術分野】
【０００１】
本発明は、排水弁装置、この排水弁装置を備えた洗浄水タンク装置、及び、この洗浄水タンク装置を備えた水洗大便器に係り、特に、洗浄水の瞬間流量が低下することを効果的に抑制することができる洗浄水タンクの排水弁装置、この排水弁装置を備えた洗浄水タンク、及び、この洗浄水タンク装置を備えた水洗大便器に関する。
【背景技術】
【０００２】
従来から、便器本体を洗浄する洗浄水を貯える洗浄水タンクの排水弁装置として、例えば、特許文献１に記載されているように、洗浄水タンクに形成された排水口に取り付けられる排水口ユニットと、排水口を開閉する排水弁を備えた排水弁ユニットと、この排水弁ユニットの周囲を取り囲むように排水口ユニットに着脱可能に取り付けられたカップ状の筒体を備えているものが知られている。
このような従来の排水弁装置においては、便器の洗浄動作が開始されて排水弁が開弁されると、洗浄水タンク内の洗浄水が筒体の上端開口部から流入した後、洗浄水タンクの排水口から便器本体に洗浄水が供給されるようになっている。
また、排水弁が開弁している間、洗浄水タンク内の水位が筒体よりも上方の初期水位（満水水位）から筒体の上縁位置（止水水位（又は死水水位））まで下降すると、筒体の外側の領域に洗浄水が残され、洗浄水タンクから便器本体への洗浄水の供給が停止されるようになっている。
よって、特許文献１に記載されているような筒体を用いた従来の排水弁装置では、満水水位から止水水位（又は死水水位）までの洗浄水量が洗浄水タンクから便器本体に供給された洗浄水量になり、便器洗浄後の洗浄水タンク内の止水水位（又は死水水位）は筒体の上縁位置によって決まるようになっている。
【先行技術文献】
【特許文献】
【０００３】
【特許文献１】特許第５０５７１９０号公報
【発明の概要】
【発明が解決しようとする課題】
【０００４】
また、近年、水洗大便器の節水化が進んだ結果、使用する洗浄水量が少なくなっているため、排水弁の開弁時間や操作時間、並びに、筒体の形状や容積等が、洗浄水タンクから筒体を経て便器本体に供給される洗浄水の瞬間流量や便器の洗浄性能に影響を及ぼすことが問題となっている。
特に、カップ状の筒体を用いた従来の排水弁装置では、筒体の上端開口部の近傍の洗浄水が筒体の上端開口部から筒体内に流入する前後において、洗浄水タンク内の比較的大きな流路断面積から筒体内の流路断面積に急激に変化することになるため、筒体内への流入前後で瞬間流量が急低下し、洗浄水を効率よく便器本体に供給する妨げとなっている。
したがって、洗浄水が筒体内に流れ込むときに、洗浄水の瞬間流量が低下することをいかに効果的に抑制し、効率よく洗浄水を便器本体に供給して、便器本体の洗浄性能を向上させると共に洗浄水の節水化を実現するかが要請された課題となっている。
【０００５】
そこで、本発明は、上述した従来技術の問題や要請された課題を解決するためになされたものであり、洗浄水の瞬間流量が低下することを効果的に抑制することができる排水弁装置、この排水弁装置を備えた洗浄水タンク装置、及び、この洗浄水タンク装置を備えた水洗大便器を提供することを目的としている。
【課題を解決するための手段】
【０００６】
上記の目的を達成するために、本発明は、便器本体を洗浄する洗浄水を貯える洗浄水タンクの排水弁装置であって、上記洗浄水タンクに形成された排水口に取り付けられる排水口部及びこの排水口部を開閉する弁体を備えた本体部と、この本体部に取り付けられる筒体と、を有し、この筒体は、上記本体部の排水口部に取り付けられる下側開口部と、この下側開口部から外周側に突出して上記筒体の底面を形成する底面部と、この底面部から上方に伸びて上記本体部を取り囲む側壁部と、この側壁部の上端と連続する上側開口部と、を備え、上記筒体の上側開口部には、その下端から上端に向かって上記本体部から離間するように湾曲面が形成されており、上記本体部は、更に、上記筒体の内側で且つ上記本体部の外側の第１の領域と上記排水口部内の第２の領域とを連通させる連通口を形成する連通口部を備え、上記筒体は、上記連通口部よりも上方における上記第１の領域に形成される流路断面積が下方に向かって減少するように形成されており、上記筒体の底面部は、上記筒体内の下方領域の流路断面積が下方に向かって減少するように上記側壁部の下端から上記下側開口部の上端に向かって湾曲状に形成されていることを特徴としている。
このように構成された本発明においては、筒体の上側開口部に、その下端から上端に向かって本体部から離間するように湾曲面が形成されているので、排水弁装置の本体部の弁体の開弁により洗浄水タンクの排水口が開放され洗浄水タンク内の水位が低下する場合に洗浄水タンク内の比較的大きな流路断面積から筒体内の流路断面積に急激に変化することが抑制される。したがって、筒体の上側開口部の近傍の圧力損失が抑制されるため、筒体の上側開口部に流入する洗浄水は、筒体の上側開口部の湾曲面に沿って筒体の内部にスムーズに流れ込むことができる。また、洗浄水が筒体内に流れ込むときに、洗浄水の瞬間流量が低下することを効果的に抑制することができ、洗浄水を効率よく便器本体に供給することができる。これらの結果、便器本体の洗浄性能を向上させることができると共に洗浄水の節水化を実現することができる。
また、本体部が、筒体の内側で且つ本体部の外側の第１の領域と排水口部内の第２の領域とを連通させる連通口を形成する連通口部を備えており、筒体について、連通口部よりも上方における本体部の第１の領域の流路断面積が下方に向かって減少するように形成されているため、洗浄水タンク内の洗浄水が、本体部の外側の第１の領域から連通口を経て排水口部内の第２の領域から洗浄水タンクの排水口に至る流路内を通過する際に、洗浄水の流れが流路内で剥離し難くなり、乱れを抑制することができる。
したがって、これらの流路内で洗浄水の瞬間流量が低下することを抑制することができ、洗浄水を効率よく便器本体に供給することができるため、便器本体の洗浄性能を向上させることができると共に洗浄水の節水化を実現することができる。
また、筒体の底面部が、筒体内の下方領域の流路断面積が下方に向かって減少するように側壁部の下端から下側開口部の上端に向かって湾曲状に形成されているので、底面部が平坦に形成されている筒体を採用した場合に比べて、筒体自体の容積を減少させることができる。したがって、筒体の内部から排水口部を経て便器本体に供給される洗浄水量を削減し、便器洗浄に使用される洗浄水の節水化を実現することができる。
【０００８】
本発明において、好ましくは、上記第１の領域から上記連通口を経て上記第２の領域から上記洗浄水タンクの排水口に至る流路は、下流側に位置する程、その流路面積が小さくなるように形成されている。
このように構成された本発明においては、第１の領域から連通口を経て第２の領域から洗浄水タンクの排水口に至る流路は、下流側に位置する程、その流路面積が小さくなるように形成されているので、洗浄水タンク内の洗浄水が、筒体の上側開口部から筒体内に流入した後、本体部の外側の第１の領域から連通口を経て排水口部内の第２の領域から洗浄水タンクの排水口に至る流路内を通過する際に、洗浄水の流れの流路内の乱れを抑制することができる。したがって、これらの流路内で洗浄水の瞬間流量が低下することを抑制することができ、洗浄水を効率よく便器本体に供給することができるため、便器本体の洗浄性能を向上させることができると共に洗浄水の節水化を実現することができる。
【００１０】
本発明において、好ましくは、上記筒体は、上記本体部が上記洗浄水タンクに対して予め固定された後、上記本体部に対して上方から取り付け可能である。
このように構成された本発明においては、本体部が洗浄水タンクに対して予め固定された後、筒体を本体部に対して上方から簡単に取り付けることができ、便器本体の洗浄性能を向上させることができると共に洗浄水の節水化を実現することができる。
【００１１】
つぎに、本発明は、上記排水弁装置を備えている洗浄水タンク装置である。
このように構成された本発明においては、洗浄水が筒体内に流れ込むときに洗浄水の瞬間流量が低下することを抑制することができ、洗浄水を効率よく便器本体に供給することができる洗浄水タンク装置を提供することができる。したがって、便器本体の洗浄性能を向上させることができると共に洗浄水の節水化を実現することができる洗浄水タンク装置を提供することができる。
【００１２】
つぎに、本発明は、上記洗浄水タンク装置を備えている水洗大便器である。
このように構成された本発明においては、洗浄水が筒体内に流れ込むときに洗浄水の瞬間流量が低下することを抑制することができ、洗浄水を効率よく便器本体に供給することができる水洗大便器を提供することができる。したがって、便器本体の洗浄性能を向上させることができると共に洗浄水の節水化を実現することができる水洗大便器を提供することができる。
【発明の効果】
【００１３】
本発明の排水弁装置、この排水弁装置を備えた洗浄水タンク装置、及び、この洗浄水タンク装置を備えた水洗大便器によれば、洗浄水の瞬間流量が低下することを効果的に抑制することができることができる。
【図面の簡単な説明】
【００１４】
【図１】本発明の第１実施形態による排水弁装置が適用される洗浄水タンク装置を備えた水洗大便器を示す概略図である。
【図２】図１のＩＩ−ＩＩ線に沿った断面斜視図である。
【図３】本発明の第１実施形態による排水弁装置の平面図である。
【図４】図３のＩＶ−ＩＶ線に沿った断面図である。
【図５】図３のＶ−Ｖ線に沿った断面図である。
【図６】本発明の第１実施形態による排水弁装置の筒体を斜め上方から見た斜視図である。
【図７】図６のＶＩＩ−ＶＩＩ線に沿った断面図である。
【図８】図７のＶＩＩＩ部を部分的に拡大した部分拡大図である。
【図９】図７のＩＸ−ＩＸ線に沿って見た部分断面図である。
【図１０】本発明の第２実施形態による排水弁装置の筒体を斜め上方から見た斜視図である。
【図１１】図１０のＸＩ−ＸＩ線に沿った断面図である。
【図１２】図１０のＸＩＩ−ＸＩＩ線に沿った断面図である。
【発明を実施するための形態】
【００１５】
以下、添付図面を参照して、本発明の第１実施形態による排水弁装置、この排水弁装置を備えた洗浄水タンク装置、及び、この洗浄水タンク装置を備えた水洗大便器について説明する。
図１は、本発明の第１実施形態による排水弁装置が適用される洗浄水タンク装置を備えた水洗大便器を示す概略図であり、図２は、図１のＩＩ−ＩＩ線に沿った断面図である。
【００１６】
図１に示すように、本発明の第１実施形態による排水弁装置が適用される洗浄水タンク装置を備えた水洗大便器１は、汚物を受ける便器本体２と、この便器本体２の後方側の上面に配置される直方体状の洗浄水タンク装置４とを備えている。
この洗浄水タンク装置４の上面に取り付けられている大洗浄ボタン４ａまたは小洗浄ボタン４ｂを押すことによって、洗浄形態に応じた流量の洗浄水が洗浄水タンク装置４から便器本体２に供給されるようになっている。
【００１７】
図２に示すように、洗浄水タンク装置４は、洗浄水タンク６と、この洗浄水タンク６の底面６ａに形成された排水口６ｂに取り付けられる本発明の第１実施形態による排水弁装置８と、洗浄水タンク６の底面に載置されて洗浄水タンク６に洗浄水を供給する給水装置１０とを備えている。
また、排水弁装置８は、オーバーフロー管１２を備えており、洗浄水タンク６内の洗浄水がオーバーフロー管１２の上端位置に相当する規定水位を超えた場合に排水弁装置８の下流側へ流出させるようになっている。
【００１８】
つぎに、図２〜図５を用いて本発明の第１実施形態による排水弁装置の構造について説明する。
図３は、本発明の第１実施形態による排水弁装置の平面図であり、図４は、図３のＩＶ−ＩＶ線に沿った断面図であり、図５は、図３のＶ−Ｖ線に沿った断面図である。
【００１９】
図２〜図５に示すように、排水弁装置８は、洗浄水タンク６の排水口に取り付けられる排水口部１４及びこの排水口部１４を開閉する排水弁部１６を備えた本体部１８と、排水口部１４に取り付けられる概ねカップ状の筒体２０とを備えている。
【００２０】
図４に示すように、排水口部１４は、洗浄水タンク６の底面６ａを貫く排水口６ｂに取り付けられる概ね円筒状の排水口部本体２２と、この排水口部本体２２の内側且つ下方向かって縮径する縮径部２４ａを含み且つこの縮径部２４ａから下方に向かって洗浄水タンク６の排水口６ｂを貫くように延びる排水路２４ｂを形成する排水路形成部２４と、縮径部２４ａの上縁に沿って概ね円環状に形成されて上方に向けて突出している弁座２６とを備えている。この弁座２６の内周側の領域は、実質的には、排水口部１４の排水口１４ａを形成しており、この排水口１４ａは、洗浄水タンク６内の洗浄水が便器本体２側に排水される排水口に相当している。
また、図５に示すように、排水口部１４は、オーバーフロー管１２の下方部分と排水口部本体２２とを一体的に接続するように設けられると共に、排水路２４ｂとオーバーフロー管１２とを連通させるオーバーフロー管接続部２８を備えている。
【００２１】
図４に示すように、排水口部本体２２の下端は、洗浄水タンク６の排水口６ｂに挿入されており、排水口部本体２２の下方の外周には、鍔部３０が形成されている。この鍔部３０は、その下方側の洗浄水タンク６の底面６ａとにより円環状のパッキン３２を挟持することで、洗浄水タンク６に貯水された洗浄水が排水口部本体２２と洗浄水タンク６の底面６ａや排水口６ｂとの間の隙間から流出することを防いでいる。
また、図４及び図５に示すように、筒体２０の取付部（詳細は後述する下側開口部４６）が取り付けられる排水口部本体２２の外周面の取付部には、外側に向けて突出する突出部３４が全周に渡って帯状に形成されている。
【００２２】
さらに、図２、図４及び図５に示すように、排水口部本体２２の弁座２６よりも上方の領域には、周方向に複数の連通口３６が形成されており、各連通口３６の開口断面は、図４に示す側面視及び図５に示す正面視において、矩形状に形成されている。
また、各連通口３６は、図３及び図４に示すように、筒体２０の内側で且つ本体部１８の外側の第１の領域Ａ１と排水口部１４内の第２の領域Ａ２とを連通させており、洗浄水タンク６内の洗浄水の水位が筒体２０の上縁よりも上方に位置するときに、筒体２０内に流入した洗浄水は、各連通口３６から排水口部１４内に流入するようになっている。
【００２３】
排水口部１４のオーバーフロー管接続部２８は、オーバーフロー管１２と排水口部１４とを構造的に接続するリブ２８ａと、オーバーフロー管１２の内部と排水口部１４の内部とを流体的に接続する連通路２８ｂとを備えており、これによりオーバーフロー管１２と排水口部１４とが一体的に形成されている。
【００２４】
図４に示すように、排水弁部１６は、排水口部１４の弁座２６と当接することで排水口部１４を開閉する円盤状の弁体３８を備えている。
また、排水弁部１６は、下端側に弁体３８が設けられていると共に、上端側が大洗浄ボタン４ａ及び小洗浄ボタン４ｂと接続されるリンク機構４０と連結されている主軸部材４２を備えている。
さらに、排水弁部１６は、弁体３８及び主軸部材４２を覆い排水弁部１６の外観を形成する円筒状のケーシング４４を備えている。
【００２５】
つぎに、図４〜図９を用いて本発明の第１実施形態による排水弁装置の筒体の構造について説明する。
図６は、本発明の第１実施形態による排水弁装置の筒体を斜め上方から見た斜視図であり、図７は、図６のＶＩＩ−ＶＩＩ線に沿った断面図であり、図８は、図７のＶＩＩＩ部を部分的に拡大した部分拡大図であり、図９は、図７のＩＸ−ＩＸ線に沿って見た部分断面図である。
【００２６】
図４及び図７に示すように、筒体２０は、洗浄水タンク６の排水口６ｂに取り付けられた本体部１８の排水口部１４に嵌めて取り付けられる下側開口部４６と、この下側開口部４６から外周側に突出して筒体２０の底面を形成する底面部４８と、この底面部４８から上方に伸びて本体部１８の外周を取り囲む側壁部５０と、この側壁部５０の上端部と連続する上側開口部５２とを備えている。
【００２７】
下側開口部４６は、概ね円筒状の排水口部本体２２に外側から嵌合されるため、平面視で断面がほぼ円形形状であり、本体部１８に取り付けられる筒体２０の取付部５４の一部を形成している。
そして、図４及び図７に示すように、下側開口部４６の内周側には排水口部１４の外周面５６と対向する第１の取付面５８が形成されており、この第１の取付面５８には、筒体２０の外部の洗浄水が筒体２０から筒体２０の内部に浸入することを防止する浸入防止手段である第１の爪部６０が形成されている。
この第１の爪部６０は、上方に向かって突出しており、筒体２０を排水口部１４に取り付けると変形して第１の取付面５８と排水口部１４の外周面５６との隙間を密閉することができるようになっている。
なお、本実施形態においては、第１の爪部６０が下側開口部４６の第１の取付面５８の全周に渡って形成されているが、この第１の爪部６０については、下側開口部４６の第１の取付面５８に周方向に沿って間隔を置いて形成してもよい。
【００２８】
さらに、第１の取付面５８には、中心方向である内側に向けて突出する正面視で長方形の突起６２が周方向に間隔を置いて複数（４つ）形成されており、これらの突起６２は筒体２０を排水口部１４に取り付けた際に排水口部１４の突出部３４と係合することができるようになっている。
なお、突起６２の個数は第１の取付面５８に複数形成されていれば、その個数は４つに限定されるものでない。
【００２９】
底面部４８は、一端が下側開口部４６と滑らかに接続されており、他端が側壁部５０と滑らかに接続されている。
また、側壁部５０は、図４に示すように排水口部１４の排水口部本体２２及び排水弁部１６のケーシング４４から距離を置いて対向しており、下方に向かってやや傾斜している。
これにより、筒体２０は、第１の領域Ａ１における流路断面積が下方に向かって減少するように形成されている。
よって、第１の領域Ａ１から連通口３６を経て第２の領域Ａ２から排水口部１４の排水口１４ａに至る流路は、その流路面積が下流側に位置するにつれて小さくなるように形成されている。
【００３０】
つぎに、図５においては、筒体２０の上側開口部５２の上縁５２ａの高さ位置に相当する洗浄水タンク６内の洗浄水の水位を止水水位（又は死水水位）ＤＷＬで示している。
また、筒体２０の上側開口部５２の下縁５２ｂ付近の高さ位置Ｐ１における筒体２０の内側で且つ本体部１８の外側の第１の領域Ａ１の流路断面積について、流路面積Ｓ１とし、高さ位置Ｐ１よりも下方で且つ連通口３６よりも上方の高さ位置Ｐ２における筒体２０の内側で且つ本体部１８の外側の第１の領域Ａ１の流路断面積について、流路面積Ｓ２としている。
さらに、図５においては、高さ位置Ｐ２よりも下方の各連通口３６が形成されている高さ位置Ｐ３では、すべての連通口３６の開口総面積について、流路面積Ｓ３で示しており、各連通口３６の下方の排水口１４ａの高さ位置Ｐ４では、排水口１４ａの開口断面積をＳ４で示している。
また、図５においては、排水路形成部２４の排水路２４ｂの下端付近の流路断面積をＳ５で示している。
図５に示すように、各流路面積Ｓ１〜Ｓ５は、位置Ｐ１から位置Ｐ５まで下流側になる程小さくなるように設定されている。
【００３１】
また、筒体２０の側壁部５０のオーバーフロー管１２と対向する第１の側面６４（図２参照）の前後方向中央には、縦長の開口であるスリット６６が底面部４８まで形成されており、下側開口部４６の開口４６ａと連通している。
このように側壁部５０のスリット６６が形成されていることにより、筒体２０を排水口部１４に取り付けた際に排水口部１４のオーバーフロー管接続部２８のリブ２８ａが筒体２０の側壁部５０のスリット６０に挿入されるようになっている。
【００３２】
図９に示すように、筒体２０の側壁部５０のスリット６６には、排水口部１４のオーバーフロー管接続部２８と対向する第２の取付面６８が形成され、この第２の取付面６８には、筒体２０の外部の洗浄水が筒体２０の内部に浸入することを抑制する浸入防止手段である第２の爪部７０が一体的に形成されている。
この第２の爪部７０は、上方に向かって突出しており、筒体２０を排水口部１４に取り付けると変形して第２の取付面６８と排水口部１４のオーバーフロー管接続部２８のリブ２８ａとの隙間を密閉するようになっている。
【００３３】
上側開口部５２は、図６及び図７に示すように、上側開口部５２の下端５２ａから上端５２ｂに向かって本体部１８（すなわち、筒体２０の中心）から離間するように湾曲面７２が形成されている。
そして、図２及び図７に示すように、上側開口部５２の湾曲面７２は、筒体２０の上側開口部５２の給水装置１０側の上縁部分（正面側から見て筒体２０の上側開口部５２の左側上縁部分）に最も湾曲している最大湾曲面７２ａを形成している。
一方、筒体２０の上側開口部５２の左側上縁部分以外の上縁部分、すなわち、筒体２０の上側開口部５２の前後の上縁部分や右側上縁部分は、筒体２０の上側開口部５２の左側上縁部分の最大湾曲面７２ａに比べてほとんど湾曲していない。
【００３４】
なお、本実施形態では、図２及び図７に示すように、上側開口部５２の湾曲面７２の最大湾曲面７２ａが、筒体２０の上側開口部５２の給水装置１０側の上縁部分（正面側から見て筒体２０の上側開口部５２の左側上縁部分）のみに設けられた形態について説明するが、洗浄水タンク６内における筒体２０の前後方向の周辺スペースやオーバーフロー管１２側の周辺スペースが十分に確保できる場合には、筒体２０の上側開口部５２の前後の上縁部分や右側上縁部分にも、最大湾曲面７２ａと同様な湾曲面を設けてもよい。
【００３５】
つぎに、図４、図５、図８及び図１０を用いて、本発明の第１実施形態による排水弁装置における筒体の取付方法について説明する。
まず、予め、洗浄水タンク６の排水口６ｂに排水弁装置８の本体部１８の排水口部１４の下側部分を上方から挿入して固定し、この状態で、洗浄水タンク６の仕様に応じて選択した筒体２０を排水弁装置８の本体部１８の排水口部１４に上方から取り付ける。
具体的には、排水弁装置８の本体部１８の上方に位置ある取付前の筒体２０を下方に移動させることにより、筒体２０の下側開口部４６の開口４６ａ内に排水弁装置８の本体部１８の上方部分から排水口部本体２２の下方の突出部３４付近まで挿入する。そして、筒体２０の下側開口部４６の内周側の突起６２が排水弁装置８の本体部１８の排水口部本体２２の外周側の突出部３４を乗り越えるまで、筒体２０を本体部１８に対して下方に移動させることにより、筒体２０の下側開口部４６の内周側を排水弁装置８の本体部１８の排水口部１４の排水口部本体２２の外周側の突出部３４に嵌める。
このとき、筒体２０の第１の爪部６０が排水口部１４の突出部３４によって潰されて変形し、筒体２０と排水口部本体２２との間の隙間が密閉され、筒体２０の外部の洗浄水が筒体２０と排水口部本体２２との間の隙間から排水口部１４内に浸入することが防止される。
同時に、筒体２０の第２の爪部７０が接続部２８のリブ２８ａによって潰されて変形し、筒体２０と接続部２８との間の隙間が密閉され、筒体２０の外部の洗浄水が筒体２０と接続部２８との間の隙間から排水口部１４内に浸入することが防止される。
【００３６】
加えて、筒体２０の下側開口部４６を排水口部１４の排水口部本体２２に嵌められた際に、筒体２０の突起６２の上端が排水口部１４の突出部３４の下端と係止し、筒体２０が本体部１８に対して強固に固定される。
これにより、洗浄水タンク６内の洗浄水の浮力によって、筒体２０が排水口部１４から脱落することを防ぐことができる。
【００３７】
このように、洗浄水タンク６に予め取り付けられた状態の本体部１８に対して、洗浄水タンク６の仕様に応じて選択可能な筒体２０が上方から後付けすることができるため、種々の筒体２０を選択して適宜本体部１８に取り付けることで、洗浄水タンク６の仕様に応じた洗浄水タンク６内の洗浄水の最低水位（止水水位（又は死水水位）ＤＷＬ）等の規定水位や便器本体２側に供給する洗浄水量を容易に設定することが可能となる。
【００３８】
さらに、便器本体２の洗浄を開始する際、排水弁装置８の本体部１８の弁体３８が開弁することにより排水口部１４の排水口１４ａが開放されると、洗浄水タンク６内の洗浄水が、筒体２０の上側開口部５２から筒体２０内に流入した後、排水口部１４から洗浄水タンク６の排水口を経て便器本体２に排出され、洗浄水タンク６内の洗浄水の水位が低下する。
そして、この洗浄水の水位が筒体２０の上側開口部５２の上端５２ｂより下方に低下すると、筒体２０の上側開口部５２から内部に洗浄水が流入しなくなるため、洗浄水タンク６内の水位を止水水位（又は死水水位）ＤＷＬで停止させることができる。
したがって、洗浄水タンク６の仕様に応じて選択した筒体２０を本体部１８に後付けするだけで、洗浄水タンク６内の規定水位（止水水位（又は死水水位）ＤＷＬ）を容易に設定することができ、洗浄水タンク６から便器本体２に供給する洗浄水量を容易に調整することができる。
【００３９】
つぎに、図１、図４及び図５を用いて、本発明の実施形態による排水弁装置、この排水弁装置を備えた洗浄水タンク装置、及び、この洗浄水タンク装置を備えた水洗大便器の動作について説明する。
まず、使用者が大洗浄ボタン４ａあるいは小洗浄ボタン４ｂを押下すると、この押下に応じてリンク機構４０が作動し、主軸部材４２が引き上げられる。
これにより、主軸部材４２と共に弁体３８が引き上げられ、弁座２６から離間することで開弁され、排水路形成部２４の縮径部２４ａ及び排水路２４ｂが開放される。
【００４０】
そして、洗浄水タンク６内の洗浄水が筒体２０の上側開口部５２から筒体２０内に流入することで、洗浄水が排水口部１４の排水口１４ａから排水路形成部２４の縮径部２４ａ及び排水路２４ｂを経て便器本体２に排出される。
洗浄水タンク６内の洗浄水の水位が筒体２０の上側開口部５２の位置に低下するまでの間、洗浄水タンク６内の洗浄水が筒体２０の上側開口部５２から筒体２０内に流れ込む。
【００４１】
このとき、筒体２０の上側開口部５２が下端５２ａから上端５２ｂに向かって湾曲しているので、洗浄水タンク６内の比較的大きな流路断面積から筒体２０内の流路断面積に急激に変化することが抑制されるため、筒体２０の上側開口部５２の近傍の圧力損失が抑制され、筒体２０の上側開口部５２に流入する洗浄水が上側開口部５２の湾曲面７２に沿って筒体２０の内部にスムーズに流れ込むことができる。
また、洗浄水が筒体２０内に流れ込むときに、洗浄水の瞬間流量が低下することを効果的に抑制されるので、洗浄水を効率よく便器本体２に供給可能となる。
これらの結果、便器本体２の洗浄性能を向上させることができると共に洗浄水の節水化を実現することができる。
【００４２】
上述した本発明の実施形態による排水弁装置８によれば、筒体２０の上側開口部５２に、その下端５２ａから上端５２ｂに向かって本体部１８から離間するように湾曲面７２が形成されているので、排水弁装置８の本体部１８の弁体３８の開弁により洗浄水タンク６内の排水口部１４の排水口１４ａが開放されて洗浄水タンク６内の水位が低下する場合に、洗浄水タンク６内の比較的大きな流路断面積から筒体２０内の流路断面積に急激に変化することが抑制される。したがって、筒体２０の上側開口部５２の近傍の圧力損失が抑制されるため、筒体２０の上側開口部５２に流入する洗浄水は、筒体２０の上側開口部５２の湾曲面７２に沿って筒体２０の内部にスムーズに流れ込むことができる。
また、洗浄水が筒体２０内に流れ込むときに、洗浄水の瞬間流量が低下することを効果的に抑制することができ、洗浄水を効率よく便器本体２に供給することができる。
これらの結果、便器本体２の洗浄性能を向上させることができると共に洗浄水の節水化を実現することができる。
【００４３】
また、本実施形態による排水弁装置８によれば、筒体２０が、その内側で且つ本体部１８の外側の領域Ａ１に形成される流路断面積Ｓ１，Ｓ２が下方に向かって減少するように形成されているので、洗浄水タンク６内の洗浄水が、筒体２０の上側開口部５２から筒体２０内に流入した後、筒体２０の内側で且つ本体部１８の外側の領域Ａ１の流路内を通過する際に、洗浄水の流れが流路内で剥離し難くなり、乱れを抑制することができる。
したがって、洗浄水の瞬間流量が低下することを抑制することができ、洗浄水を効率よく便器本体２に供給することができるため、便器本体２の洗浄性能を向上させることができると共に洗浄水の節水化を実現することができる。
【００４４】
さらに、本実施形態による排水弁装置８によれば、筒体２０の内側で且つ本体部１８の外側の第１の領域Ａ１から連通口３６を経て排水口部１４内の第２の領域Ａ２から洗浄水タンク６内の排水口部１４の排水口１４ａ及び排水路形成部２４の排水路２４ｂの下端付近までに至る流路について、下流側に位置する程、その流路面積Ｓ１〜Ｓ５が小さくなるように形成されているので、洗浄水タンク６内の洗浄水が、筒体２０の上側開口部５２から筒体２０内に流入した後、本体部１８の外側の第１の領域Ａ１から連通口３６を経て排水口部１４内の第２の領域Ａ２から洗浄水タンク６内の排水口部１４の排水口１４ａ及び排水路形成部２４の排水路２４ｂの下端付近までに至る流路内を通過する際に、洗浄水の流れの流路内の乱れを抑制することができる。
したがって、これらの流路内で洗浄水の瞬間流量が低下することを抑制することができ、洗浄水を効率よく便器本体２に供給することができるため、便器本体２の洗浄性能を向上させることができると共に洗浄水の節水化を実現することができる。
【００４５】
さらに、本実施形態による洗浄水タンク装置４によれば、洗浄水が筒体２０内に流れ込むときに洗浄水の瞬間流量が低下することを抑制することができ、洗浄水を効率よく便器本体２に供給することができる洗浄水タンク装置４を提供することができる。
したがって、便器本体２の洗浄性能を向上させることができると共に洗浄水の節水化を実現することができる洗浄水タンク装置４を提供することができる。
【００４６】
また、本実施形態による水洗大便器１によれば、洗浄水が筒体２０内に流れ込むときに洗浄水の瞬間流量が低下することを抑制することができ、洗浄水を効率よく便器本体２に供給することができる水洗大便器１を提供することができる。
したがって、便器本体２の洗浄性能を向上させることができると共に洗浄水の節水化を実現することができる水洗大便器１を提供することができる。
【００４７】
つぎに、図１０〜図１２を参照して、本発明の第２実施形態による排水弁装置の筒体について説明する。
図１０は、本発明の第２実施形態による排水弁装置の筒体を斜め上方から見た斜視図であり、図１１は、図１０のＸＩ−ＸＩ線に沿った断面図であり、図１２は、図１０のＸＩＩ−ＸＩＩ線に沿った断面図である。
なお、図１０〜図１２に示す本発明の第２実施形態による排水弁装置の筒体においては、本発明の第１実施形態による排水弁装置８の筒体２０と同一部分については同一の符号を付し、これらの説明は省略し、本発明の第１実施形態による排水弁装置８の筒体２０と異なる部分のみについて説明する。
【００４８】
図１０〜図１２に示すように、本発明の第２実施形態による排水弁装置の筒体１２０は、筒体１２０の底面部１４８が、筒体１２０内の下方領域Ａ３の流路断面積が下方に向かって減少するように側壁部１５０の下端から下側開口部１４６の上端に向かって湾曲状に形成されている点で、本発明の第１実施形態による排水弁装置８の筒体２０の底面部４８と異なっている。
【００４９】
本発明の第２実施形態による排水弁装置の筒体１２０によれば、この筒体１２０の底面部１４８が、筒体１２０内の下方領域Ａ３の流路断面積が下方に向かって減少するように側壁部１５０の下端から下側開口部１４６の上端に向かって湾曲状に形成されているので、底面部１４８が平坦に形成されている筒体１２０を採用した場合に比べて、筒体１２０自体の容積を減少させることができる。
したがって、筒体１２０の内部から排水口部１４の排水口１４ａを経て便器本体２に供給される洗浄水量を削減し、便器洗浄に使用される洗浄水の節水化を実現することができる。
【００５０】
なお、上述した本発明の第１実施形態による排水弁装置８の筒体２０及び本発明の第２実施形態による排水弁装置の筒体１２０においては、予め、洗浄水タンク６の排水口６ｂに排水弁装置８の本体部１８の排水口部１４の下側部分を上方から挿入して固定した状態とし、この状態で、洗浄水タンク６の仕様に応じて選択した筒体２０又は１２０を排水弁装置８の本体部１８の排水口部１４に上方から取り付けるような形態について説明したが、このような形態に限られず、他の形態についても適用可能である。
すなわち、他の形態として、筒体２０又は１２０について、洗浄水タンク６の排水口６ｂに排水弁装置８の本体部１８の排水口部１４の下側部分を上方から挿入して固定する前に、予め筒体２０又は１２０の取付部を排水弁装置８の本体部１８の排水口部１４の所定の取付部に下方から取り付けた後、この筒体２０又は１２０が取り付けられた状態の排水弁装置８の本体部１８の下側部分を洗浄水タンク６の排水口６ｂに挿入し、排水弁装置８の本体部１８及び筒体２０又は１２０を洗浄水タンク６に対して固定するようにしてもよい。
【符号の説明】
【００５１】
１    水洗大便器
２    便器本体
４    洗浄水タンク装置
４ａ  大洗浄ボタン
４ｂ  小洗浄ボタン
６    洗浄水タンク
６ａ  底面
６ｂ  排水口
８    排水弁装置
１０    給水装置
１２    オーバーフロー管
１４    排水口部
１４ａ  排水口
１６    排水弁部
１８    本体部
２０    筒体
２２    排水口部本体
２４    排水路形成部
２４ａ  縮径部
２４ｂ  排水路
２６    弁座
２８    オーバーフロー管接続部
２８ａ  リブ
２８ｂ  連通路
３０    鍔部
３２    パッキン
３４    突出部
３６    連通口
３８    弁体
４０    リンク機構
４２    主軸部材
４４    ケーシング
４６    下側開口部
４６ａ  開口
４８    底面部
５０    側壁部
５２    上側開口部
５２ａ  下端
５２ｂ  上端
５４    取付部
５６    外周面
５８    第１の取付面
６０    第１の爪部
６２    突起
６４    第１の側面
６６    スリット
６８    第２の取付面
７０    第２の爪部
７２    湾曲面
７２ａ  最大湾曲面
Ａ１    第１の領域
Ａ２    第２の領域
Ａ３    下方領域
ＤＷＬ  止水水位（又は死水水位）
Ｓ１    流路面積
Ｓ２    流路面積
Ｓ３    流路面積
Ｓ４    流路面積
Ｓ５    流路面積
【図１】
0006666578.tif 000002
【図２】
0006666578.tif 000003
【図３】
0006666578.tif 000004
【図４】
0006666578.tif 000005
【図５】
0006666578.tif 000006
【図６】
0006666578.tif 000007
【図７】
0006666578.tif 000008
【図８】
0006666578.tif 000009
【図９】
0006666578.tif 000010
【図１０】
0006666578.tif 000011
【図１１】
0006666578.tif 000012
【図１２】
0006666578.tif 000013